(57)【要約】  織られたガス供給ダクト（５）を包含するエアバッグが記載されている。このガス供給ダクト（５）は、ガス発生器に接続されるようになっていて、該ダクトには複数の孔（６）が設けられている。前記孔（６）は、前記ガス供給ダクトに流れるガスを前記エアバッグの膨張される帯域又は領域（７，８，９）に流れ込ませる位置にある。前記孔（６）は、方形の孔であり、該孔の側縁は、前記ガス供給ダクトを形成している縦糸及び横糸に整合している。
2005511406.tif 000002
【特許請求の範囲】
【請求項１】
織成したガス供給ダクトを含み、このガス供給ダクトは、ガス発生器に接続し、前記ダクトには、複数の孔が形成されているもので、これらの孔は、前記ガス供給ダクトのガスの流れを膨張させるエアバッグの帯域又は領域へ向けるように位置しており、前記複数の孔は、方形の孔であって、これらの孔の側縁は、前記ガス供給ダクトを形成する縦糸及び横糸に正合しているエアバッグ。
【請求項２】
縦糸と横糸は、軸にそっていて、前記ガス供給ダクトの軸を横切り、前記孔の複数の側面は、前記ダクトの軸に対しそい、かつ、横切るようになっている請求項１によるエアバッグ機構。
【請求項３】
前記縦糸と横糸は、前記ガス供給ダクトの軸に対し４５°の角度で延びており、前記孔の複数の側面は、前記ダクトの軸に対し４５°の角度になっている請求項１による機構。
【請求項４】
前記エアバッグは、膨張される複数の別個の領域を有し、一方の端部に前記エアバッグを自動車のルーフの一部に取り付ける固定手段を有していて、前記エアバッグは、膨張可能なカーテンの形態をしている前記請求項のいずれか一つによるエアバッグ機構。
【請求項５】
レーザー切断技術を使用して前記複数の孔を設ける工程からなる前記請求項のいずれか一つによるエアバッグを製造する方法。
【発明の詳細な説明】
【技術分野】
【０００１】
この発明は、エアバッグ、さらに詳しくは、内部ガス供給チューブがエアバッグの内部に設けられていて、このガス供給チューブは、ガス発生器に接続されるのに適していて、前記ガス供給チューブは、その壁に複数の貫通孔が形成されていて、これらの貫通孔によりガスが前記エアバッグ内に形成された独立の複数の膨張可能な領域又はチャンバ内に吹き込まれるようになっているタイプのエアバッグに関するものである。
【０００２】
ガス発生器からガスが供給される複数の膨張可能な領域又はチャンバを有しているエアバッグの提供が提案されている。このようなエアバッグの一例は、所謂“膨張可能なエアカーテン”と言われるもので、これは、自動車のドア開口の上の自動車のルーフ部分に取り付けられるようになっているものであり、さらにまた、事故発生時、前記ドアに形成された窓部開口に近接して展開し、自動車の搭乗者と自動車の側面との間に位置する保護カーテンになるようになるものである。このような膨張可能なカーテンは、側面からの衝撃や転覆状態のときに自動車の搭乗者を保護するようになっている。
【０００３】
ＤＥ−Ａ−１９９３９６１８は、この形式の安全装置を記載しているもので、この装置においては、前記膨張可能なカーテンは、膨張される複数の領域又はチャンバに分かれた膨張可能な要素から形成されている。内部に織物からなるガス供給ダクトが設けられている。このガス供給ダクトにおいては、その長さ方向にそって該ダクトの壁に複数の円形の孔が貫通していて、これらの孔を経て前記ダクトからガスが膨張可能な要素の膨張すべきそれらの領域又はチャンバへ流入するようになっている。前記膨張可能な要素が膨張するとき、前記ガス供給ダクトの前記円形の孔のまわりが激しく損傷し、特に前記織物のすりきれて損傷することが分かっている。このことは、予期しない膨張結果になってしまうため望ましいことではない。
【０００４】
この発明は、改良されたエアバッグを提供しようとするものである。
【０００５】
この発明によれば、織成したガス供給ダクトを含み、このガス供給ダクトは、ガス発生器に接続し、前記ダクトには、複数の孔が形成されているもので、これらの孔は、前記ガス供給ダクトのガスの流れを膨張させるエアバッグの帯域又は領域へ向けるように位置しており、前記複数の孔は、方形の孔であって、これらの孔の端縁は、前記ガス供給ダクトを形成する縦糸及び横糸に正合しているエアバッグが提供されるものである。
【０００６】
縦糸と横糸は、軸にそっていて、前記ガス供給ダクトの軸を横切り、前記孔の複数の側面は、前記ダクトの軸にそい、かつ、横切るようになっていることが好ましい。
【０００７】
また別に、前記縦糸と横糸は、前記ガス供給ダクトの軸に対し４５°の角度で延びており、前記孔の複数の側面は、前記ダクトの軸に対し４５°の角度になっている。
【０００８】
有利には、前記エアバッグは、膨張される複数の別個の領域を有し、一方の端部に前記エアバッグを自動車のルーフの一部に取り付ける固定手段を有していて、前記エアバッグは、膨張可能なカーテンの形態をしている。
【０００９】
この発明は、また、上記したエアバッグを製造する方法に関していて、この方法は、レーザー切断技術を使用して前記複数の孔を設ける工程からなるものである。
【００１０】
この発明をさらに容易に理解できるようにし、そして、さらにそれの特徴を認識されるようにするために、この発明を添付の図面を参照しながら実施の態様により記載する。
【００１１】
添付の図面の図１を先ず参照すると、エアバッグ１が図示されていて、このエアバッグは、所謂膨張可能なカーテンを形成するようになっているものである。前記エアバッグ１は、上縁部２を有し、この上縁部には、複数の取り付け耳３が設けられていて、これら取り付け耳は、自動車のルーフラインに設けられた複数の取り付け部に接続されるようになっている。これら取り付け部は、直線上にそって配置されているものではなく、通常、自動車のルーフラインにそっており、“Ａ”ポスト又は“Ｃ”ポストのいずれかに設けられる取り付け部を含むものである。
【００１２】
前記エアバッグには、別の取り付け部に接続されるストラップ４が張り出している。
【００１３】
前記エアバッグには、その内側に、ガス供給ダクト５が設けられており、このダクトの一端がガス発生器に接続されるようになっている。前記ガス供給ダクト５には、その長さ方向にそって、いくつかのガス出口孔６が選択された間隔をおいて設けられている。これらのガス出口孔６は、前記エアバッグの分けられた膨張可能な領域７，８，９に連通している。前記膨張可能な領域９は、複数のシーム１０により複数の実質的に平行なチャンバに分けられている。このような形のエアバッグは、よく知られているものである。
【００１４】
添付の図面の図２を参照すると、図２には、図１のエアバッグの一部が拡大されて示されており、織物のガス供給ダクト５に円形ではなく、矩形の複数の孔６が設けられていることが分かる。ここで理解すべきは、この明細書において用語“矩形”とは、４つの直角な角をもつ４つの面の４本の直線で囲まれた形のものを意味し、この定義には、正方形が含まれることである。
【００１５】
図３からさらにはっきり分かるように、前記ガス供給ダクト５に形成された孔６は、矩形の孔の側縁１１，１２が前記ガスダクト５の縦糸１３と横糸１４に整合するような向きになっている。前記孔６は、レーザー切断技術を用いて切断されている。この形の方形の孔の側縁は、前記縦糸繊維と横糸繊維に一致していて、前記エアバッグが展開するとき、ほとんどすりきれることがないものである。レーザー切断技術の使用によって、前記繊維を“ヒートシール”するようにするものである。
【００１６】
認識すべきは、図３において、前記織地の縦糸繊維と横糸繊維は、前記ガスダクト５の軸にそい、かつ、横断するようになっている。また別途、前記ガスダクト５は、縦糸繊維と横糸繊維とが前記ガスダクトの軸に対し４５°の角度で延び、これによって、前記ガスダクトが効果的に“編まれた”チューブとなるようにもできる。このような状態において、図４に示すよう、孔１５が前記ガスダクトに設けられると、前記孔１５は、ここでも矩形になり、側縁１６，１７が縦糸繊維と横糸繊維１８，１９に正合する。したがって、前記孔は、方形の形でありながら、“ダイアモンド”形状を呈するようになる。
【００１７】
この明細書においては、“備える”は、“含む又はからなる”を意味し、“備えること”は、“含むこと又はからなること”を意味する。
【図面の簡単な説明】
【００１８】
【図１】この発明によるエアバッグの略示側面図。
【図２】図１の一部の拡大図。
【図３】図２の一部の拡大図。
【図４】この発明のモディファイされた実施の態様を示す図３に相当する図。
【図１】
2005511406.tif 000003
【図２】
2005511406.tif 000004
【図３】
2005511406.tif 000005
【図４】
2005511406.tif 000006
【国際調査報告】
2005511406.tif 000007
2005511406.tif 000008